(57)【要約】【課題】ユーザの利便性や快適性の確保と一次エネルギ消費量の低減とを両立させることが可能な水栓装置等を提供する。【解決手段】吐出部から吐出される温水の目標温度及び目標流量を設定する設定部であって、温度操作部に対する操作が行われた場合、該操作で設定された温度要求値に基づき、目標温度を設定し、流量操作部に対する操作が行われた場合、該操作で設定された流量要求値に基づき、目標流量を設定する設定部と、設定部により設定された目標温度及び目標流量に基づき、混合部及び流量調整部を制御する制御部と、を備え、制御部は、吐出部から温水の吐出が開始される場合、前回の止水前の目標温度及び目標流量の設定状態に依らず、給湯器を含む給湯設備の一次エネルギの消費量が予め規定される基準で維持されるように、混合部及び流量調整部を制御する。【選択図】図７
2018119706.tif 000002
【特許請求の範囲】
【請求項１】
給湯器から供給される湯と給水管から供給される水とを混合させることにより、温水を生成する混合部であって、前記湯及び前記水の混合比率を調整可能な混合部と、
前記温水を吐出する吐出部と、
前記吐出部から吐出される前記温水の流量を調整する流量調整部と、
前記吐出部から吐出される前記温水の第１の温度要求値を設定する操作が行われる温度操作部と、
前記吐出部から吐出される前記温水の第１の流量要求値を設定する操作が行われる流量操作部と、
前記吐出部から吐出される前記温水の目標温度及び目標流量を設定する設定部であって、前記温度操作部に対する操作が行われた場合、該操作で設定された前記第１の温度要求値に基づき、前記目標温度を設定し、前記流量操作部に対する操作が行われた場合、該操作で設定された前記第１の流量要求値に基づき、前記目標流量を設定する設定部と、
前記設定部により設定された前記目標温度及び前記目標流量に基づき、前記混合部及び前記流量調整部を制御する制御部と、を備え、
前記制御部は、前記吐出部から前記温水の吐出が開始される場合に、前回の止水前の前記目標温度及び前記目標流量の設定状態に依らず、前記給湯器を含む給湯設備の一次エネルギの消費量が予め規定される基準で維持されるように、前記混合部及び前記流量調整部を制御する機能を有する、
水栓装置。
【請求項２】
前記設定部は、前記吐出部から吐出される温水が止水された場合、前記温水の吐出が開始されるまでの間で、止水前の前記目標温度の設定状態に依らず、前記目標温度を所定の第１設定温度に設定し、
前記制御部は、前記吐出部から前記温水の吐出が開始される場合、前記設定部により設定された前記目標温度及び前記目標流量に基づき、前記混合部及び前記流量調整部を制御する、
請求項１に記載の水栓装置。
【請求項３】
前記設定部は、前記吐出部から吐出される温水が止水された場合、前記吐出部から前記温水の吐出が開始されるまでの間で、止水前の前記目標温度及び前記目標流量に依らず、前記目標温度及び前記目標流量を、それぞれ、前記第１設定温度及び所定の第１設定流量に設定する、
請求項２に記載の水栓装置。
【請求項４】
前記設定部は、前記吐出部から吐出される温水が止水された場合、前記吐出部から前記温水の吐出が開始されるまでの間で、止水前の前記目標温度の設定状態に依らず、前記目標温度を、前記目標流量に応じて可変される前記第１設定温度に設定する、
請求項２に記載の水栓装置。
【請求項５】
前記給湯器と通信可能に接続され、
前記制御部は、前記吐出部から前記温水の吐出が開始される場合に、前記給湯器に対して、所定の出力以下での運転を指示する制御信号を送信すると共に、前記給湯器から供給される湯が前記吐出部から吐出されるように前記混合部を制御し、前記目標流量に基づき、前記流量調整部を制御する、
請求項１に記載の水栓装置。
【請求項６】
前記制御部による前記機能の実行を解除する操作を行う解除操作部を備える、
請求項１乃至５の何れか一項に記載の水栓装置。
【請求項７】
前記設定部は、前記吐出部から前記温水の吐出が開始される場合、止水からの経過時間が所定時間より短いときに、前回の止水前の前記目標温度及び前記目標流量の設定状態を維持する、
請求項２乃至４の何れか一項に記載の水栓装置。
【請求項８】
前記給湯器と通信可能に接続され、
前記制御部は、前記給湯器から取得する前記湯の温度に関する情報に基づき、前記混合部を制御する、
請求項１乃至３の何れか一項に記載の水栓装置。
【請求項９】
前記目標温度及び前記目標流量のうちの少なくとも一方を予め規定されたパターンで変化させる温水吐出モードを選択する第１選択操作部を備え、
前記設定部は、前記第１選択操作部が操作された場合、前記パターンに沿って、前記目標温度及び前記目標流量のうちの少なくとも一方の設定状態を時間経過に応じて変化させる、
請求項１乃至８の何れか一項に記載の水栓装置。
【請求項１０】
請求項１乃至９の何れか一項に記載の水栓装置と、前記水栓装置と通信可能な外部装置と、を含む温水吐出システムであって、
前記水栓装置は、
前記目標温度及び前記目標流量の設定状態に関する情報を前記外部装置に送信する第１送信部を備え、
前記外部装置は、
前記水栓装置から前記情報を受信する第１受信部と、
記憶部と、
前記第１受信部により受信された前記情報に基づき、前記吐出部より前記温水が吐出され始めてから止水されるまでの期間ごとに、前記期間における前記目標温度並びに前記目標流量の設定状態、及び前記期間における積算流量を履歴として前記記憶部に保存する保存部と、を備える、
温水吐出システム。
【請求項１１】
前記外部装置は、
前記記憶部に記憶される前記履歴を前記水栓装置に送信する第２送信部を備え、
前記水栓装置は、
前記目標温度及び前記目標流量として、予め規定された第２設定温度及び第２設定流量を選択し吐水開始からの積算流量が予め規定される設定積算流量に到達するまでの間だけ前記吐出部から温水を吐出させる操作が行われる第２選択操作部と、
前記外部装置から前記履歴を受信する第２受信部と、
前記第２受信部により受信される前記履歴に基づき、前記第２設定温度、前記第２設定流量、及び前記設定積算流量を規定する規定部と、を備え、
前記設定部は、前記第２選択操作部が操作された場合、前記目標温度及び前記目標流量を前記第２設定温度及び前記第２設定流量に設定し、
前記制御部は、前記第２選択操作部が操作された場合、前記流量調整部を制御し、前記吐出部から温水を吐出させると共に、吐水開始からの積算流量が前記設定積算流量に到達した場合、前記流量調整部を制御し、止水させる、
請求項１０に記載の温水吐出システム。
【請求項１２】
前記水栓装置は、
予め規定される複数のユーザの中から、前記期間ごとに前記水栓装置を使用していたユーザを特定するユーザ特定部を備え、
前記規定部は、前記第２受信部により受信される前記履歴と、前記ユーザ特定部により前記期間ごとに特定されたユーザとに基づき、前記複数のユーザごとに前記第２設定温度、前記第２設定流量、及び前記設定積算流量を規定し、
前記第２選択操作部は、前記規定部により前記複数のユーザごとに規定された前記第２設定温度及び前記第２設定流量の何れかを選択可能に構成される、
請求項１１に記載の温水吐出システム。
【請求項１３】
前記外部装置と通信可能な携帯端末を含み、
前記外部装置は、
前記記憶部に記憶される前記履歴を携帯端末に送信する第３送信部を備え、
前記携帯端末は、
前記外部装置から前記履歴を受信する第３受信部と、
前記第３受信部により受信される前記履歴を表示部に表示させる表示処理部と、を備える、
請求項１０乃至１２の何れか一項に記載の温水吐出システム。
【請求項１４】
請求項９に記載の水栓装置と、前記水栓装置と通信可能な携帯端末とを含む温水吐出システムであって、
前記携帯端末は、
ユーザの操作に応じて、前記温水吐出モードを選択するモード選択指令を前記水栓装置に送信する第５送信部を備え、
前記水栓装置は、
前記携帯端末から前記モード選択指令を受信する第５受信部を備え、
前記設定部は、前記第５受信部により前記モード選択指令が受信された場合、前記パターンに沿って、前記目標温度及び前記目標流量の少なくとも一方の設定状態を時間経過に応じて変化させる、
温水吐出システム。
【発明の詳細な説明】
【技術分野】
【０００１】
本発明は、水栓装置等に関する。
【背景技術】
【０００２】
従来、ユーザの操作により設定される設定値（設定流量）に応じて、吐出される水の流量を制御する水栓装置が知られている（例えば、特許文献１参照）。
【先行技術文献】
【特許文献】
【０００３】
【特許文献１】特許第２８２９５３２号公報
【発明の概要】
【発明が解決しようとする課題】
【０００４】
近年、給湯を含む住宅設備の一次エネルギ消費量の低減の要請が高まっており、ユーザの快適性及び利便性と両立させながら、省エネルギの観点から、水栓装置から吐出される水の温度及び流量が制御されることが望ましい。
【０００５】
しかしながら、特許文献１では、制御対象が流量であるため、吐出される水の温度を制御することができない。また、流量と同様、温度を制御対象とすることができるとしても、特許文献１では、常にユーザの設定値に応じて水の流量等が制御されるため、一次エネルギ消費量の低減を図ることができない可能性がある。
【０００６】
そこで、上記課題に鑑み、ユーザの利便性や快適性の確保と一次エネルギ消費量の低減とを両立させることが可能な水栓装置等を提供することを目的とする。
【課題を解決するための手段】
【０００７】
上記目的を達成するため、本発明の一実施形態では、
給湯器から供給される湯と給水管から供給される水とを混合させることにより、温水を生成する混合部であって、前記湯及び前記水の混合比率を調整可能な混合部と、
前記温水を吐出する吐出部と、
前記吐出部から吐出される前記温水の流量を調整する流量調整部と、
前記吐出部から吐出される前記温水の第１の温度要求値を設定する操作が行われる温度操作部と、
前記吐出部から吐出される前記温水の第１の流量要求値を設定する操作が行われる流量操作部と、
前記吐出部から吐出される前記温水の目標温度及び目標流量を設定する設定部であって、前記温度操作部に対する操作が行われた場合、該操作で設定された前記第１の温度要求値に基づき、前記目標温度を設定し、前記流量操作部に対する操作が行われた場合、該操作で設定された前記第１の流量要求値に基づき、前記目標流量を設定する設定部と、
前記設定部により設定された前記目標温度及び前記目標流量に基づき、前記混合部及び前記流量調整部を制御する制御部と、を備え、
前記制御部は、前記吐出部から前記温水の吐出が開始される場合に、前回の止水前の前記目標温度及び前記目標流量の設定状態に依らず、前記給湯器を含む給湯設備の一次エネルギの消費量が予め規定される基準で維持されるように、前記混合部及び前記流量調整部を制御する機能を有する、
水栓装置が提供される。
【発明の効果】
【０００８】
本実施形態によれば、ユーザの利便性や快適性の確保と一次エネルギ消費量の低減とを両立させることが可能な水栓装置等を提供することができる。
【図面の簡単な説明】
【０００９】
【図１】水栓装置を含む温水吐出システムの構成の一例を示す構成図である。
【図２】マイコンの機能構成の一例を示す機能ブロック図である。
【図３】外部装置（処理装置）の機能構成の一例を示す機能ブロック図である。
【図４】携帯端末の機能構成の一例を示す機能ブロック図である。
【図５】制御部による温度制御処理の一例を概略的に示すフローチャートである。
【図６】制御部による流量制御処理の一例を概略的に示すフローチャートである。
【図７】設定処理部による温水の目標温度を設定する処理（目標温度設定処理）の一例を概略的に示すフローチャートである。
【図８】設定処理部による温水の目標流量を設定する処理（目標流量設定処理）の一例を概略的に示すフローチャートである。
【図９】設定処理部による目標温度設定処理の他の例を概略的に示すフローチャートである。
【図１０】設定処理部による目標流量設定処理の他の例を概略的に示すフローチャートである。
【図１１】水栓装置（温水吐出システム）による作用を説明する図である。
【図１２】水栓装置（温水吐出システム）による作用を説明する図である。
【図１３】水栓装置（温水吐出システム）による作用を説明する図である。
【図１４】水栓装置（温水吐出システム）による作用を説明する図である。
【発明を実施するための形態】
【００１０】
以下、図面を参照して発明を実施するための形態について説明する。
【００１１】
図１は、本実施形態に係る水栓装置２０を含む温水吐出システム１の構成の一例を示す図である。温水吐出システム１は、給湯器１０、水栓装置２０、外部装置３０、携帯端末４０を含む。また、温水吐出システム１に関連する構成として、給湯器１０及び水栓装置２０に水を供給する給水管２、水栓装置２０、外部装置３０、及び携帯端末４０が接続される所定の通信ネットワーク３がある。
【００１２】
尚、本実施形態では、給湯器１０から水栓装置２０に供給される比較的温度が高い水を“湯”と称し、給水管２から給湯器１０及び水栓装置２０に供給される比較的温度が低い水を“水”と称し、水栓装置２０によって、湯と水とが混合されることにより生成される水を“温水”と称する。また、図中、実線は、水、湯、温水等の流通経路を表し、点線は、制御信号・情報信号等の伝達経路を表す。
【００１３】
給湯器１０は、ユーザの操作等に応じて設定される目標温度に基づき、給水管２から分岐する給水枝管２ａを通じて供給される水を加熱し、目標温度に対応する所定温度の湯を、給湯管１０ａを通じて水栓装置２０に供給する。給湯器１０は、その構成が任意であってよく、例えば、気液型熱交換器と、該気液型熱交換機に高温ガスを供給するガスバーナ等を含んで構成されてよい。
【００１４】
尚、給湯器１０は、水栓装置２０と通信可能に接続され、給湯器１０から水栓装置２０に供給される湯の温度に関する情報（例えば、目標温度の設定値、給湯器１０に内蔵される温度センサによる湯の温度検出値等）を水栓装置２０に送信してもよい。
【００１５】
水栓装置２０は、給湯器１０から供給される湯と、給水管２から分岐する給水枝管２ｂを通じて供給される水とを混合することにより、温水を生成し、該温水を吐出口２３から吐出する。水栓装置２０は、例えば、キッチン、洗面所、浴室等に設けられ、混合弁２１、流量調整弁２２、吐出口２３、温度センサ２４、流量センサ２５、マイコン２６、操作部２７、通信機器２８を含む。
【００１６】
混合弁２１（混合部の一例）は、給湯器１０から延設される給湯管及び給水枝管２ｂの双方に接続され、給湯器１０から供給される湯と、給水枝管２ｂから供給される水とを混合することにより、温水を生成する。混合弁２１は、マイコン２６（具体的には、後述する制御部２６４）からの制御指令に応じて、その開度を調整することにより、混合比率を変更可能に構成される。例えば、混合弁２１は、その開度が電動モータにより調整可能な態様であってよい。これにより、生成される温水、即ち、吐出口２３から吐出される温水の温度を調整することができる。
【００１７】
流量調整弁２２は、混合弁２１と吐出口２３との間の温水の流通経路に設けられ、マイコン２６（具体的には、制御部２６４）からの制御指令に応じて、吐出口２３から吐出される温水の流量を調整する。例えば、流量調整弁２２は、後述する出止水操作部２７Ａに対する出水操作（吐出口２３から温水を吐出させるためのユーザによる操作）が行われると、温水の流量が後述する設定処理部２６３で設定される目標流量になるように、その開度が制御部２６４により調整される。また、例えば、流量調整弁２２は、出止水操作部２７Ａに対する止水操作（吐出口２３から吐出される温水を止水させる操作）が行われると、設定処理部２６３で設定される目標流量に関わらず、その開度が制御部２６４により全閉状態に調整される。
【００１８】
吐出口２３（吐出部の一例）は、混合弁２１により生成される温水を水栓装置２０の外部に吐出する。
【００１９】
温度センサ２４は、湯、水、温水等の温度を検出する既知の検出手段であり、温度センサ２４ａ〜２４ｃを含む。温度センサ２４ａは、給湯器１０から給湯管１０ａを通じて混合弁２１に流入する湯の温度を検出する。温度センサ２４ｂは、給水枝管２ａから混合弁２１に流入する水の温度を検出する。温度センサ２４ｃは、吐出口２３から吐出される温水の温度を検出する。温度センサ２４ａ〜２４ｃは、その検出信号をマイコン２６に送信する。
【００２０】
流量センサ２５は、湯、水、温水等の流量を検出する既知の検出手段であり、流量センサ２５ａ〜２５ｃを含む。流量センサ２５ａは、給湯器１０から給湯管１０ａを通じて混合弁２１に流入する湯の流量を検出する。流量センサ２５ｂは、給水枝管２ａから混合弁２１に流入する水の流量を検出する。流量センサ２５ｃは、吐出口２３から吐出される温水の流量を検出する。流量センサ２５ａ〜２５ｃは、その検出信号をマイコン２６に送信する。
【００２１】
尚、後述の如く、給湯器１０と水栓装置２０とが通信可能な構成である場合、マイコン２６は、給湯器１０から給湯管１０ａを通じて混合弁２１に流入する湯の温度及び流量に関する情報を取得してもよい。この場合、温度センサ２４ａ及び流量センサ２５ａは、省略されてもよい。
【００２２】
マイコン２６は、ＣＰＵ，ＲＡＭ，ＲＯＭ，Ｉ／Ｏ等を中心に構成され、例えば、ＲＯＭに格納される各種プログラムをＣＰＵ上で実行することにより各種制御処理を行う。以下、図２を参照して、マイコン２６の機能構成について説明をする。
【００２３】
図２は、マイコン２６の機能構成の一例を示す機能ブロック図である。図３に示すように、マイコン２６は、ＲＯＭに格納される１つ以上のプログラムをＣＰＵ上で実行することにより実現される機能部として、通信処理部２６２、設定処理部２６３、制御部２６４、使用情報蓄積処理部２６５、情報生成部２６６を含む。また、マイコン２６は、例えば、ＥＥＰＲＯＭ（Electrically  Erasable  Programmable  Read-Only  Memory）、フラッシュメモリ等の内部メモリに規定される記憶領域としての記憶部２６９を含む。
【００２４】
通信処理部２６２（第１送信部、第２受信部、第４受信部、及び第５受信部の一例）は、通信機器２８を制御し、所定の通信ネットワーク３、例えば、宅内のＷｉＦｉ（登録商標）ネットワークを通じて、外部装置３０、携帯端末４０との間での制御信号、情報信号等の送受信を行う。
【００２５】
尚、水栓装置２０（マイコン２６）は、例えば、通信処理部２６２を介して、給湯器１０と通信可能な構成であってもよい。この場合、通信処理部２６２は、給湯器１０との間での制御信号、情報信号等の送受信を行う。また、水栓装置２０は、通信ネットワーク３を経由する通信手段以外の他の通信手段を介して、給湯器１０と通信可能な構成であってもよい。
【００２６】
設定処理部２６３（設定部の一例）は、後述する制御部２６４によって、吐出口２３から吐出される温水の温度及び流量が制御される際の目標温度及び目標流量を設定する。設定処理部２６３は、基本的に、目標温度及び目標流量を予め規定された設定温度Ｔｓ１（第１設定温度の一例）及び設定流量Ｑｓ１（第１設定流量の一例）に設定する。設定温度Ｔｓ１及び設定流量Ｑｓ１は、ユーザの快適性及び利便性を損なわない範囲で一次エネルギの消費量の低減に比重を置いたデフォルト値として設定されてよい。例えば、設定温度Ｔｓ１は、水栓装置２０がキッチン及び洗面所等で使用される場合、３２℃に設定され、浴室等で使用される場合、３９℃に設定されてよい。また、例えば、設定流量Ｑｓ１は、キッチン及び洗面所等で使用される場合、５リットル／ｍｉｎに設定され、浴室等で使用される場合、１０リットル／ｍｉｎに設定されてよい。これにより、給湯器１０、水栓装置２０を含む給湯設備における一次エネルギの消費量の低減に比重を置いたデフォルト値に基づき、温水の温度及び流量が制御されるため、一次エネルギの消費量を低減させることができる。
【００２７】
一方、設定処理部２６３は、吐出口２３から温水が吐出されている状態で、後述する温度操作部２７Ｂが操作された場合、目標温度を、該操作で設定された要求値（第１の温度要求値の一例）に基づき、設定温度Ｔｓ２に設定する。これにより、ユーザによる目標温度の設定が可能となるため、一次エネルギの消費量の低減に比重を置きつつ、ユーザの快適性及び利便性を確保することができる。設定温度Ｔｓ２は、ユーザによる温度操作部２７Ｂに対する操作状態、即ち、温度操作部２７Ｂでユーザにより設定される要求値によって変化する。また、設定温度Ｔｓ２は、当該要求値そのものであってもよいし、例えば、ユーザの快適性を損なわない範囲で予め規定される当該要求値よりも低い値であってもよい。また、設定処理部２６３は、後述する流量操作部２７Ｃが操作された場合、目標流量を、該操作で設定された要求値（第１の温度要求値の一例）に基づき、設定流量Ｑｓ２に設定する。これにより、ユーザによる目標流量の設定が可能となるため、一次エネルギの消費量の低減に比重を置きつつ、ユーザの快適性及び利便性を確保することができる。設定流量Ｑｓ２は、設定温度Ｔｓ２と同様、ユーザによる流量操作部２７Ｃに対する操作状態、即ち、流量操作部２７Ｃでユーザにより設定される要求値によって変化する。また、設定流量Ｑｓ２は、設定温度Ｔｓ２と同様、当該要求値そのものであってもよいし、例えば、ユーザの快適性を損なわない範囲で予め規定される当該要求値よりも低い値であってもよい。
【００２８】
尚、後述する解除操作部２７ＦがＯＮ操作されない限り、吐出口２３から温水が吐出されていない状態で、温度操作部２７Ｂ，流量操作部２７Ｃが操作されても、設定処理部２６３は、目標温度及び目標流量を設定変更しない。
【００２９】
また、設定処理部２６３は、吐出口２３から温水が吐出されていない状態（止水されている状態）で、後述する第２選択操作部２７Ｅが操作された場合、目標温度及び目標流量を、記憶部２６９に格納されるプリセット値、即ち、予め規定される設定温度Ｔｓ３（第２設定温度の一例）及び設定流量Ｑｓ３（第２設定流量の一例）に設定する。併せて、後述する制御部２６４は、第２選択操作部２７Ｅが操作された場合、流量調整弁２２を制御し、吐出口２３からの温水の吐出を開始させ、設定処理部２６３で設定される目標温度及び目標流量（設定温度Ｔｓ３及び設定流量Ｑｓ３）に応じて、混合弁２１及び流量調整弁２２を制御すると共に、温水の吐出開始からの積算流量が、記憶部に格納されるプリセット値、即ち、予め規定される設定積算流量ＩＱｓに到達した場合、流量調整弁２２を制御し、吐出口２３からの温水を自動的に止水させる。これにより、温度操作部２７Ｂ及び流量操作部２７Ｃで具体的な値を指定しなくても、例えば、頻繁に利用する目標温度及び目標流量の組み合わせをプリセット値として予め規定しておくことができると共に、第２選択操作部２７Ｅを操作するだけで、プリセット値に対応する目標温度及び目標流量で吐出口２３からの吐水を開始させることができるため、ユーザの利便性が向上する。また、目標温度及び目標流量と併せて、設定積算流量ＩＱｓをプリセット値として予め規定しておくことができるため、止水操作の必要もないため、ユーザの利便性が更に向上する。設定温度Ｔｓ３、設定流量Ｑｓ３、設定積算流量ＩＱｓは、ユーザによる水栓装置２０の操作部２７に対する所定の操作に応じて、規定可能な態様であってよい。また、設定温度Ｔｓ３、設定流量Ｑｓ３、及び設定積算流量ＩＱｓは、後述の如く、自動的に規定される態様であってもよい。また、プリセット値としての設定温度Ｔｓ３、設定流量Ｑｓ３、及び設定積算流量ＩＱｓは、複数組あってもよい。この場合、第２選択操作部２７Ｅに含まれる複数の操作部の各々に対して、異なる設定温度Ｔｓ３、設定流量Ｑｓ３、及び設定積算流量ＩＱｓの組み合わせを対応させることができる。また、この場合、設定処理部２６３は、目標温度及び目標流量を、複数組の設定温度Ｔｓ３及び設定流量Ｑｓ３のうち、第２選択操作部２７Ｅで指定された設定温度Ｔｓ３及び設定流量Ｑｓ３に設定する。また、設定処理部２６３は、通信処理部２６２により携帯端末４０から後述するプリセット選択指令が受信された場合も、同様に、目標温度及び目標流量を、プリセット値としての設定温度Ｔｓ３及び設定流量Ｑｓ３に設定する。また、プリセット値としての設定温度Ｔｓ３及び設定流量Ｑｓ３の組み合わせが複数組ある場合、設定処理部２６３は、目標温度及び目標流量を、複数組の設定温度Ｔｓ３及び設定流量Ｑｓ３のうち、通信処理部２６２により受信されたプリセット選択指令で指定される設定温度Ｔｓ３及び設定流量Ｑｓ３に設定する。併せて、制御部２６４は、通信処理部２６２により携帯端末４０からプリセット選択指令が受信された場合、流量調整弁２２を制御し、吐出口２３からの温水の吐出を開始させ、設定処理部２６３で設定される目標温度及び目標流量（設定温度Ｔｓ３及び設定流量Ｑｓ３）に応じて、混合弁２１及び流量調整弁２２を制御すると共に、温水の吐出開始からの積算流量が、通信処理部２６２により受信されたプリセット指令で指定される設定積算流量ＩＱｓに到達した場合、流量調整弁２２を制御し、吐出口２３からの温水を自動的に止水させる。これにより、ユーザは、携帯端末４０における所定の操作を行うことで、第２選択操作部２７Ｅを操作した場合と同様の機能を利用することができるため、ユーザの利便性が更に向上する。
【００３０】
また、設定処理部２６３は、吐出口２３から温水が吐出されている状態で、通信処理部２６２により携帯端末４０から後述する温度設定指令が受信された場合、目標温度を、温度設定指令で設定される要求値（第２の温度要求値の一例）に基づき、設定温度Ｔｓ４に設定する。また、設定処理部２６３は、通信処理部２６２により携帯端末４０から後述する流量設定指令が受信された場合、目標流量を、流量設定指令で設定される要求値（第２の流量要求値の一例）に基づき、設定流量Ｑｓ４に設定する。これにより、ユーザは、携帯端末４０における所定の操作を行うことで、温度操作部２７Ｂ及び流量操作部２７Ｃを操作した場合と同様の機能を利用することができるため、ユーザの利便性が更に向上する。設定温度Ｔｓ４及び設定流量Ｑｓ４は、携帯端末４０におけるユーザの操作状態、即ち、携帯端末４０で起動されるアプリケーション（アプリ）上でユーザにより設定される要求値によって変化する。また、設定温度Ｔｓ４及び設定流量Ｑｓ４は、設定温度Ｔｓ２及び設定流量Ｑｓ２と同様、当該要求値そのものであってもよいし、例えば、ユーザの快適性を損なわない範囲で予め規定される当該要求値よりも低い値であってもよい。
【００３１】
尚、後述する解除操作部２７ＦがＯＮ操作されない限り、吐出口２３から温水が吐出されていない状態で、通信処理部２６２により携帯端末４０から温度設定指令或いは流量設定指令が受信されても、設定処理部２６３は、目標温度及び目標流量を設定変更しない。設定処理部２６３は、携帯端末４０（のアプリ）に代えて、或いは、加えて、例えば、リモコン装置等、任意の外部機器（遠隔機器）からの温度設定指令に応じて、設定温度Ｔｓ４、設定流量Ｑｓ４を設定可能な構成であってよい。
【００３２】
また、設定処理部２６３は、吐出口２３から温水が吐出されていない状態で、第１選択操作部２７Ｄが操作された場合、目標温度及び目標流量を、予め規定される温水吐出モードの所定のパターンに沿って、時間経過に応じて変化させる処理を行う。併せて、後述する制御部２６４は、第１選択操作部２７Ｄが操作された場合、流量調整弁２２を制御し、吐出口２３からの温水の吐出を開始させ、設定処理部２６３で設定される目標温度及び目標流量の変化に応じて、混合弁２１及び流量調整弁２２を制御する。これにより、温度操作部２７Ｂ及び流量操作部２７Ｃで具体的な値を適宜変更しなくても、温水吐出モードに対応する所定のパターンで目標温度及び目標流量を変化させることができると共に、第１選択操作部２７Ｄを操作するだけで、温水吐出モードに対応する目標温度及び目標流量で吐出口２３からの吐水を開始させることができるため、ユーザの利便性が向上する。温水吐出モードは、目標温度及び目標流量の少なくとも一方を所定のパターンに沿って、時間経過に応じて変化させる、目標温度及び目標流量の設定モードである。例えば、浴槽に溜める温水の温度や量を変えながら、入浴する入浴方法の場合、各回の入浴における温水の推奨温度や各回の推奨入浴時間等に応じて、吐出口２３から温水を吐出させる期間と止水させる期間を切り替えながら、吐出させる期間における温水の目標温度及び目標流量を変化させる温水吐出モードが予め規定されるとよい。温水吐出モードは、その開始から終了までの時間が予め規定されていてもよいし、ユーザによる操作部２７に対する所定の終了操作がなされるまで、所定のパターンを繰り返す態様であってもよい。以下、前者である前提で説明を続ける。また、設定処理部２６３は、通信処理部２６２により携帯端末４０から後述する温水吐出モード選択指令が受信された場合も、同様に、温度及び目標流量を、予め規定される温水吐出モードで規定される所定のパターンに沿って、時間経過に応じて変化させる処理を行う。併せて、制御部２６４は、通信処理部２６２により携帯端末４０から後述する温水吐出モード選択指令が受信された場合、同様に、流量調整弁２２を制御し、吐出口２３からの温水の吐出を開始させ、設定処理部２６３で設定される目標温度及び目標流量の変化に応じて、混合弁２１及び流量調整弁２２を制御する。これにより、ユーザは、携帯端末４０における所定の操作を行うことで、第１選択操作部２７Ｄを操作した場合と同様の機能を利用することができるため、ユーザの利便性が更に向上する。
【００３３】
また、設定処理部２６３は、吐出口２３から吐出される温水が止水された（即ち、吐出口２３から温水が吐出されている状態で出止水操作部２７Ａが操作された、又は、第２選択操作部２７Ｅに対する操作、若しくは通信処理部２６２により受信されるプリセット選択指令に応じて吐出されている温水が設定積算流量ＩＱｓに到達し、自動的に止水された）場合、次回、吐出口２３から温水の吐出が開始される（即ち、吐出口２３から温水が吐出されていない状態で出止水操作部２７Ａが操作される）までの間で、前回の止水前の目標温度の設定状態に依らず、目標温度を設定温度Ｔｓ１に設定する。例えば、設定処理部２６３は、吐出口２３から吐出される温水が止水された場合（即ち、止水されたタイミングで）、止水される前の目標温度の設定状態に関わらず、目標温度を設定温度Ｔｓ１に設定してよい（後述する図７参照）。また、設定処理部２６３は、吐出口２３から吐出される温水が止水された場合、次回、吐出口２３から温水の吐出が開始されるまでの間で、前回の止水前の目標流量の設定状態に依らず、目標流量を設定流量Ｑｓ１に設定する。例えば、設定処理部２６３は、吐出口２３から吐出される温水が止水された場合（即ち、止水されたタイミングで）、止水される前の目標流量の設定状態に関わらず、目標流量を設定流量Ｑｓ１に設定してよい（後述する図８参照）。これにより、上述の如く、目標温度及び目標流量の少なくとも一方が、設定温度Ｔｓ１及び設定流量Ｑｓ１と異なる値に変更されてしまった場合でも、次回の水栓装置２０の利用の際には、目標温度及び目標流量が設定温度Ｔｓ１及び設定流量Ｑｓ１に設定された状態で吐水を開始させることが可能となる。そのため、一次エネルギ消費量を更に低減させることができる。以下、設定処理部２６３による当該機能（目標温度及び目標流量が設定温度Ｔｓ１及び設定流量Ｑｓ１に設定された状態で吐水を開始させる機能）を、上述した、吐出口２３から温水が吐出されていない状態において、温度操作部２７Ｂ、流量操作部２７Ｃ、及び携帯端末４０等からの目標温度及び目標流量の設定変更を受け付けない機能と併せて、一次エネルギ低減補助機能と称する。
【００３４】
一方、設定処理部２６３は、後述する解除操作部２７ＦがＯＮ操作された場合、一次エネルギ低減補助機能が解除する。この場合、設定処理部２６３は、吐出口２３から温水が吐出されていない状態（止水されている状態）でも、温度操作部２７Ｂ、流量操作部２７Ｃからの目標温度及び目標流量の設定変更を受け付ける。また、設定処理部２６３は、吐出口２３から温水の吐出が開始される際も、止水される前或いは止水から吐水開始までの間で設定変更された目標温度及び目標流量を維持させる。
【００３５】
尚、設定処理部２６３は、解除操作部２７ＦがＯＦＦ操作された場合、一次エネルギ低減補助機能の実行を再開する。
【００３６】
制御部２６４は、温度センサ２４ａ〜２４ｃの検出値、流量センサ２５ａ〜２５ｃの検出値、及び設定処理部２６３により設定された目標温度及び目標流量等に基づき、混合弁２１及び流量調整弁２２を制御する。例えば、制御部２６４は、温度センサ２４ａ、２４ｂの検出値、流量センサ２５ａ，２５ｂの検出値に基づく、混合弁２１及び流量調整弁２２に対するフィードフォワード制御や目標温度と温度センサ２４ｃの検出値との差分、及び目標流量と流量センサ２５ｃの検出値との差分等に基づく、混合弁２１及び流量調整弁２２に対するＰＩＤ（Proportional  Integral  Derivative）制御等のフィードバック制御を行ってよい。また、給湯器１０と水栓装置２０との間での通信が可能な場合、制御部２６４は、給湯器１０から受信される湯の温度に関する情報を考慮して混合弁２１の制御を行ってもよい。これにより、吐出口２３から吐出される温水の温度をより精度よく目標温度に合わせることができる。
【００３７】
また、制御部２６４は、吐出口２３から温水の吐出が開始される場合に、前回の止水前の目標温度及び目標流量の設定状態に依らず、給湯器１０を含む給湯設備の一次エネルギの消費量（具体的には、吐出口２３からの温水の吐出による単位時間当たりの一次エネルギの消費量）が予め規定される基準で維持されるように、混合弁２１及び流量調整弁２２等を制御する機能（以下、エネルギ消費低減機能と称する）を有する。本実施形態では、上述の如く、設定処理部２６３によって、止水前の目標温度及び目標流量の設定状態に依らず、温水の止水から温水の吐出開始までの間で、目標温度及び目標流量の各々が設定温度Ｔｓ１及び設定流量Ｑｓ１に設定される。そのため、制御部２６４は、温水の吐出が開始される場合に、設定処理部２６３により設定された目標温度及び目標流量に基づき、混合弁２１及び流量調整弁２２等の制御を行うことにより、一次エネルギの消費量を、設定温度Ｔｓ１及び設定流量Ｑｓ１で規定される所定の基準に維持することができる。
【００３８】
一方、制御部２６４は、解除操作部２７ＦがＯＮ操作された場合、一次エネルギ低減機能を解除する。具体的には、上述した設定処理部２６３による一次エネルギ低減補助機能が解除されることにより、制御部２６４の一次エネルギ低減機能も解除される。
【００３９】
尚、制御部２６４は、解除操作部２７ＦがＯＦＦ操作された場合、設定処理部２６３による一次エネルギ低減補助機能の実行が再開されることにより、一次エネルギ低減機能の実行を再開する。
【００４０】
使用情報蓄積処理部２６５は、吐出口２３から温水が吐出されている期間、即ち、吐出口２３より温水が吐出され始めてから止水されるまでの期間（温水使用期間）ごとの目標温度及び目標流量の設定状態や温水使用期間ごとに使用された温水量（積算流量）を蓄積させる処理を行う。具体的には、使用情報蓄積処理部２６５は、通信処理部２６２を介して、吐出口２３より温水が吐出され始めてから止水されるまでの期間ごとの目標温度及び目標流量の設定状態や温水使用期間ごとの積算流量等の情報（使用情報）を外部装置３０に送信する。これにより、温水使用期間ごとの目標温度及び目標流量の設定状態や温水使用期間ごとの積算流量等の使用情報を、外部装置３０の後述する記憶部３２９に使用履歴データベース（使用履歴ＤＢ）３２９１として蓄積させることができる。
【００４１】
尚、使用情報蓄積処理部２６５は、外部装置３０ではなく、水栓装置２０に内蔵されるメモリ（例えば、記憶部２６９等）に温水使用期間ごとの目標温度及び目標流量の設定状態や温水使用期間ごとの積算流量の履歴を蓄積させてもよい。
【００４２】
情報生成部２６６（規定部、ユーザ特定部の一例）は、上述したプリセット値としての設定温度Ｔｓ３、設定流量Ｑｓ３、及び設定積算流量ＩＱｓを、自動的に生成（規定）する処理を行う。例えば、情報生成部２６６は、通信処理部２６２を介して、後述する記憶部３２９に記憶される使用履歴ＤＢ３２９１の参照データ（複製データ）の送信を要求する使用履歴送信要求を外部装置３０に送信する。そして、情報生成部２６６は、通信処理部２６２により外部装置３０から使用履歴ＤＢ３２９１の参照データが受信された場合、当該参照データの内容に基づき、設定温度Ｔｓ３、設定流量Ｑｓ３及び、及び設定積算流量ＩＱｓを規定する。具体的には、情報生成部２６６は、使用履歴ＤＢの参照データに含まれる、温水使用期間ごとの目標温度及び目標流量の設定状態の組み合わせの中で、利用頻度が最も高い組み合わせや、所定基準よりも利用頻度が高い組み合わせ等を抽出し、設定温度Ｔｓ３及び設定流量Ｑｓ３として規定してよい。この場合、情報生成部２６６は、抽出した利用頻度が高い、目標温度及び目標流量の設定状態の組み合わせに対応する温水使用期間ごとの積算流量の履歴に基づく統計的な処理（例えば、単純平均或いは加重平均等の平均処理）により、設定積算流量ＩＱｓを設定してよい。また、例えば、情報生成部２６６は、予め規定される（具体的には、予め記憶部２６９等に登録される）複数のユーザの中から、温水使用期間ごとの使用者を特定してもよい。そして、情報生成部２６６は、通信処理部２６２により外部装置３０から受信される使用履歴ＤＢ３２９１の参照データと、温水使用期間ごとに特定されたユーザとに基づき、複数のユーザごとに設定温度Ｔｓ３、設定流量Ｑｓ３、及び設定積算流量ＩＱｓを規定してもよい。具体的には、情報生成部２６６は、水栓装置２０が設定される場所、温水使用期間ごとの時間帯の情報、各温水使用期間の長さ等に基づき、ユーザを特定してよい。より具体的には、水栓装置２０が浴槽に設置され、且つ、温水使用期間が比較的長い場合は、女性のユーザである等と特定してよい。この場合、使用履歴ＤＢ３２９１は、目標温度及び目標流量の設定状態の他、温水使用期間の属する時間帯やその期間の長さ等の付加情報が含む態様で、外部装置３０（記憶部３２９）に蓄積されるとよい。また、情報生成部２６６は、水栓装置２０に生体認証機器（指紋認証機器、虹彩認証機器等）が設けられる場合、該生体認証機器による認証結果に基づき、温水使用期間ごとの使用ユーザの特定を行ってもよい。この場合、使用履歴ＤＢ３２９１は、目標温度及び目標流量の設定状態の他、各温水使用期間に対応する生体認証機器による認証結果の情報を含む態様で、外部装置３０（記憶部３２９）に蓄積されるとよい。
【００４３】
尚、情報生成部２６６は、プリセット値のうちの設定温度Ｔｓ３及び設定流量Ｑｓ３だけを、使用履歴ＤＢに基づき規定し、プリセット値のうちの残りの設定積算流量ＩＱｓについては、予め規定された固定値（例えば、１回の温水使用量の平均的な量として規定される値）としてもよい。
【００４４】
図１に戻り、操作部２７は、ユーザによる水栓装置２０の動作に関連する各種操作を受け付ける。操作部２７は、出止水操作部２７Ａ、温度操作部２７Ｂ、流量操作部２７Ｃ、第１選択操作部２７Ｄ、第２選択操作部２７Ｅ、解除操作部２７Ｆを含む。
【００４５】
出止水操作部２７Ａは、ユーザが吐出口２３から温水を吐出させるための出水操作、及び吐出口２３から吐出される温水を止水させるための止水操作を行うための操作手段である。例えば、出止水操作部２７Ａは、タッチレスセンサに手をかざす操作を行うことにより、出水操作と止水操作を行うことが可能な構成であってよい。
【００４６】
尚、出止水操作部２７Ａに代えて、出水操作部と止水操作部とを別に設けてもよい。
【００４７】
温度操作部２７Ｂは、ユーザが目標温度を設定する操作を行うための操作手段である。例えば、温度操作部２７Ｂは、ユーザが、ダイヤルを回す操作により所定の温度範囲内で、目標温度を設定することが可能な構成であってよい。
【００４８】
流量操作部２７Ｃは、ユーザが目標流量を設定する操作を行うための操作手段である。例えば、流量操作部２７Ｃは、ユーザが、温度操作部２７Ｂと同様、ダイヤルを回す操作により所定の流量範囲内で、目標流量を設定することが可能な構成であってよい。
【００４９】
第１選択操作部２７Ｄは、目標温度及び目標流量の設定状態として、上述の予め規定された温水吐出モードを選択し、吐出口２３からの吐水を開始させる操作を行うための操作手段である。例えば、第１選択操作部２７Ｄは、静電式や感圧式のボタンを押圧することにより、温水吐出モードを選択することが可能な構成であってよい。また、第１選択操作部２７Ｄは、複数設けられてもよい。これにより、複数の温水吐出モードを規定し、その中から何れかの温水吐出モードを選択するような使用態様を実現することができる。
【００５０】
第２選択操作部２７Ｅは、目標温度及び目標流量として、プリセット値、即ち、設定温度Ｔｓ３、設定流量Ｑｓ３、及び設定積算流量ＩＱｓを選択し、吐出口２３からの吐水を開始させる操作を行うための操作手段である。例えば、第２選択操作部２７Ｅは、静電式や感圧式のボタンを押圧することにより、プリセット値（設定温度Ｔｓ３、設定流量Ｑｓ３、及び設定積算流量ＩＱｓ）を選択し、吐出口２３からの吐水を開始させることが可能な構成であってよい。また、例えば、第２選択操作部２７Ｅは、設定温度Ｔｓ３、設定流量Ｑｓ３、及び設定積算流量ＩＱｓの複数の組み合わせに対応して、複数設けられてもよい。これにより、例えば、上述の如く、予め規定された複数のユーザごとに設定温度Ｔｓ３、設定流量Ｑｓ３、及び設定積算流量ＩＱｓの組み合わせを規定する場合等に対応することができる。
【００５１】
解除操作部２７Ｆは、上述した制御部２６４による一次エネルギ低減機能を解除するための操作手段である。解除操作部２７Ｆは、ユーザによりＯＮ操作された場合、制御部２６４による一次エネルギ低減機能を解除し、ＯＦＦ操作された場合、制御部２６４による一次エネルギ低減機能の解除を停止する、即ち、一次エネルギ低減機能の実行を再開させる。具体的には、解除操作部２７Ｆは、上述の如く、設定処理部２６３による一次エネルギ低減補助機能の解除及び解除の停止を行うことにより、制御部２６４による一次エネルギ低減機能の解除及び解除の停止を行う。
【００５２】
通信機器２８は、通信ネットワーク３を通じて、外部装置３０及び携帯端末４０と通信可能に接続するためのデバイスであり、例えば、ＷｉＦｉ通信モジュールである。
【００５３】
尚、水栓装置２０、外部装置３０、及び携帯端末４０は、他の通信方法、例えば、ブルートゥース（登録商標）等を利用して、相互に通信可能に接続されてもよい。この場合、通信機器２８は、例えば、ブルートゥース通信モジュール等に置換される。外部装置３０の通信機器３１、及び携帯端末４０に標準で装備される通信機器についても同様である。
【００５４】
外部装置３０は、上述の如く、通信ネットワーク３を通じて、水栓装置２０、携帯端末４０と通信可能に接続される。外部装置３０は、水栓装置２０の外部に設けられる任意の機器であり、通信機器３１、処理装置３２を含む。
【００５５】
尚、外部装置３０は、水栓装置２０、携帯端末４０と通信可能であれば、宅内にある必要はなく、例えば、水栓装置２０が設置される住宅の遠隔に設けられるサーバ等であってもよい。
【００５６】
通信機器３１は、通信ネットワーク３を通じて、水栓装置２０、携帯端末４０と通信可能に接続するためのデバイスであり、例えば、ＷｉＦｉ通信モジュールである。
【００５７】
処理装置３２は、外部装置３０における各種制御処理を行う。処理装置３２は、例えば、ＣＰＵ，ＲＡＭ，ＲＯＭ，Ｉ／Ｏ等を含むコンピュータを中心に構成されてよい。以下、図３を参照して、処理装置３２の機能構成について説明をする。
【００５８】
図３は、処理装置３２の機能構成の一例を示す機能ブロック図である。処理装置３２は、例えば、ＲＯＭに格納される１つ以上のプログラムをＣＰＵ上で実行することにより実現される機能部として、通信処理部３２１、保存処理部３２２、履歴情報読み出し処理部３２３を含む。また、処理装置３２は、ＥＥＰＲＯＭやフラッシュメモリ等の内部メモリに規定される記憶領域としての記憶部３２９を含む。
【００５９】
通信処理部３２１（第１受信部、第２送信部、及び第３送信部の一例）は、通信機器３１を制御し、通信ネットワーク３を介して、水栓装置２０、携帯端末４０との間での制御信号、情報信号等の送受信を行う。
【００６０】
保存処理部３２２は、通信処理部３２１により水栓装置２０から使用情報（温水使用期間ごとの目標温度及び目標流量の設定状態や積算流量等）が受信された場合、温水使用期間ごとに使用情報を履歴（使用履歴ＤＢ３２９１）として記憶部３２９に保存する処理を行う。
【００６１】
履歴情報読み出し処理部３２３は、通信処理部３２１により水栓装置２０、携帯端末４０から使用履歴送信要求が受信された場合、記憶部３２９から使用履歴ＤＢ３２９１を参照データとして読み出し、通信処理部３２１を介して、水栓装置２０、携帯端末４０に送信する処理を行う。
【００６２】
図１に戻り、携帯端末４０は、通信ネットワーク３を通じて、水栓装置２０、外部装置３０と通信可能に接続される、ユーザが携帯可能な任意の端末である。携帯端末４０は、例えば、携帯電話、スマートフォン、タブレット端末、携帯型のコンピュータ等の汎用端末である。以下、図４を参照して、携帯端末４０の機能構成について説明する。
【００６３】
尚、携帯端末４０は、専用端末であってもよい。
【００６４】
図４は、携帯端末４０の機能構成の一例を概略的に示す機能ブロック図である。携帯端末４０は、例えば、携帯端末４０（具体的には、携帯端末４０に内蔵されるＣＰＵ，ＲＡＭ，ＲＯＭ，Ｉ／Ｏ等を中心に構成される処理装置）にインストールされるアプリを携帯端末４０にインストールされるＯＳ（Operation  System）上で起動させることにより実現される機能部として、通信処理部４０１、表示処理部４０２、設定指令処理部４０３を含む。
【００６５】
通信処理部４０１（第３受信部、第４送信部、第５送信部の一例）は、携帯端末４０に標準で装備される通信機器（例えば、ＷｉＦｉモジュール）を制御し、通信ネットワーク３を介して、水栓装置２０、携帯端末４０との間での制御信号、情報信号等の送受信を行う。
【００６６】
表示処理部４０２は、携帯端末４０に標準で装備される表示部（例えば、液晶ディスプレイ）に各種画面を表示させる。例えば、表示処理部４０２は、表示部に表示させる所定の操作画面におけるユーザの所定の操作に応じて、通信処理部４０１を介して、外部装置３０に記憶部３２９に記憶される使用履歴ＤＢ３２９１（参照データ）の送信を要求する使用履歴送信要求を送信する。そして、表示処理部４０２は、通信処理部４０１により外部装置３０から使用履歴ＤＢ３２９１の参照データが受信された場合、表示部に使用履歴ＤＢ３２９１の内容を表示させる。これにより、ユーザは、携帯端末４０を用いて、使用履歴ＤＢ３２９１の内容を閲覧することができる。また、表示処理部４０２は、ユーザが目標温度及び目標流量を設定するための操作画面、ユーザがプリセット値として設定温度Ｔｓ３、設定流量Ｑｓ３、及び設定積算流量ＩＱｓを選択するための操作画面、及びユーザが温水吐出モードを選択するための操作画面を表示部に表示させる。
【００６７】
設定指令処理部４０３は、表示処理部４０２により表示部に表示される上述の各種操作画面におけるユーザの操作に応じて、温度設定指令、流量設定指令、プリセット選択指令、及び温水吐出モード選択指令を、通信処理部４０１を介して水栓装置２０に送信する処理を行う。
【００６８】
尚、複数組のプリセット値（設定温度Ｔｓ３、設定流量Ｑｓ３、及び設定積算流量ＩＱｓ）や複数の温水吐出モードが水栓装置２０で設定されている場合がある。そのため、携帯端末４０は、例えば、プリセット値や温水吐出モードが設定されたときに、水栓装置２０から設定された旨の通知を送信してもらうようにするとよい。これにより、携帯端末４０（表示処理部４０２）は、何組のプリセット値が設定されているか、いくつの温水吐出モードが設定されているか、及び各々のプリセット値や温水吐出モードの具体的な内容等を把握することができ、各種設定画面にこれらの情報を反映させることができる。
【００６９】
次に、図５、図６を参照して、制御部２６４による吐出口２３から吐出される温水の温度及び流量を制御する処理フローについて説明をする。
【００７０】
まず、図５は、制御部２６４による温度制御処理の一例を概略的に示すフローチャートである。本フローチャートによる処理は、例えば、水栓装置２０の稼働中、即ち、水栓装置２０に電力が供給されている状態で、所定時間間隔で、繰り返し実行される。
【００７１】
尚、解除操作部２７Ｆは、ＯＮ操作されておらず、一次エネルギ低減機能（一次エネルギ低減補助機能）は解除されていない前提とする。
【００７２】
ステップＳ１０２にて、制御部２６４は、出水操作が行われたか否かを判定する。当該出水操作は、出止水操作部２７Ａに対する出水操作のみならず、第１選択操作部２７Ｄ、第２選択操作部２７Ｅに対する操作を含む。制御部２６４は、出水操作が行われた場合、ステップＳ１０４に進み、出水操作が行われていない場合、今回の処理を終了する。
【００７３】
ステップＳ１０４にて、制御部２６４は、設定処理部２６３から目標温度の設定値（設定温度）を取得する。
【００７４】
ステップＳ１０６にて、制御部２６４は、取得した設定温度に基づき、混合弁２１に対する制御指令を生成する。
【００７５】
ステップＳ１０８にて、制御部２６４は、生成した制御指令を混合弁２１に出力する。
【００７６】
ステップＳ１１０にて、制御部２６４は、吐出口２３から吐出される温水の止水条件が成立したか、即ち、出止水操作部２７Ａに対する止水操作が行われるか、上述の如く、プリセット値に基づく吐水開始後、積算流量が設定積算流量ＩＱｓに到達するかの何れか一方の条件が成立したか否かを判定する。制御部２６４は、止水条件が成立していない場合、ステップＳ１０４に戻り、ステップＳ１０４〜Ｓ１１０の処理を繰り返し、止水条件が成立した場合、今回の処理を終了する。
【００７７】
続いて、図６は、制御部２６４による流量制御処理の一例を概略的に示すフローチャートである。本フローチャートによる処理は、図５の場合と同様、例えば、水栓装置２０の稼働中、即ち、水栓装置２０に電力が供給されている状態で、所定時間間隔で、繰り返し実行される。
【００７８】
尚、解除操作部２７Ｆは、ＯＮ操作されておらず、一次エネルギ低減機能（一次エネルギ低減補助機能）は解除されていない前提とする。
【００７９】
ステップＳ２０２にて、制御部２６４は、出止水操作部２７Ａに対する出水操作が行われたか否かを判定する。当該出水操作は、図５のステップＳ１０２の場合と同様、出止水操作部２７Ａに対する出水操作のみならず、第１選択操作部２７Ｄ、第２選択操作部２７Ｅに対する操作を含む。制御部２６４は、出水操作が行われた場合、ステップＳ２０４に進み、出水操作が行われていない場合、ステップＳ２１２に進む。
【００８０】
ステップＳ２０４にて、制御部２６４は、設定処理部２６３から目標流量の設定値（設定流量）を取得する。
【００８１】
ステップＳ２０６にて、制御部２６４は、取得した設定流量に基づき、に対する制御指令を生成する。
【００８２】
ステップＳ２０８にて、制御部２６４は、生成した制御指令を流量調整弁２２に出力する。
【００８３】
ステップＳ２１０にて、制御部２６４は、吐出口２３から吐出される温水の止水条件が成立したか、即ち、出止水操作部２７Ａに対する止水操作が行われるか、上述の如く、プリセット値に基づく吐水開始後、積算流量が設定積算流量ＩＱｓに到達するかの何れか一方の条件が成立したか否かを判定する。制御部２６４は、止水条件が成立した場合、ステップＳ２０４に戻り、ステップＳ２０４〜Ｓ２１０の処理を繰り返し、止水操作が行われた場合、今回の処理を終了する。
【００８４】
一方、ステップＳ２１２にて、制御部２６４は、流量調整弁２２を全閉にする制御指令を生成する。
【００８５】
ステップＳ２１４にて、制御部２６４は、生成した制御指令を流量調整弁２２に出力し、今回の処理を終了する。
【００８６】
次に、図７、図８を参照して、設定処理部２６３による温水の目標温度及び目標流量を設定する処理フローについて説明する。
【００８７】
まず、図７は、設定処理部２６３による温水の目標温度を設定する処理（目標温度設定処理）の一例を概略的に示すフローチャートである。本フローチャートによる処理は、例えば、水栓装置２０の稼働中、即ち、水栓装置２０に電力が供給されている状態で、所定時間間隔で、繰り返し実行される。
【００８８】
尚、解除操作部２７Ｆは、ＯＮ操作されておらず、一次エネルギ低減機能（一次エネルギ低減補助機能）は解除されていない前提とする。また、目標温度の初期値、即ち、水栓装置２０の製造時、或いは、水栓装置２０（マイコン２６）を初期化するとき等の目標温度は、設定温度Ｔｓ１に設定される。
【００８９】
ステップＳ３０１にて、設定処理部２６３は、前回（の本フローチャートによる処理のとき）まで吐出口２３から温水が吐水されていたか否かを判定する。設定処理部２６３は、前回まで吐出口２３から温水が吐出されていた場合、ステップＳ３０２に進み、前回、吐出口２３から温水が吐出されていなかった場合、ステップＳ３１０に進む。
【００９０】
ステップＳ３０２にて、設定処理部２６３は、吐出口２３から吐出される温水の止水条件が成立したか、即ち、出止水操作部２７Ａに対する止水操作が行われるか、上述の如く、プリセット値に基づく吐水開始後、積算流量が設定積算流量ＩＱｓに到達するかの何れか一方の条件が成立したか否かを判定する。設定処理部２６３は、止水条件が成立した場合、ステップＳ３０４に進み、止水条件が成立していない場合、ステップＳ３０６に進む。
【００９１】
ステップＳ３０４にて、設定処理部２６３は、吐出口２３から吐出される温水の目標温度を設定温度Ｔｓ１に設定し、今回の処理を終了する。
【００９２】
一方、ステップＳ３０６にて、設定処理部２６３は、温度操作部２７Ｂに対する操作（温度設定操作）が行われたか否かを判定する。設定処理部２６３は、温度設定操作が行われた場合、ステップＳ３０８に進み、温度設定操作が行われていない場合、ステップＳ３１０に進む。
【００９３】
ステップＳ３０８にて、設定処理部２６３は、吐出口２３から吐出される温水の目標温度を設定温度Ｔｓ２に設定し、今回の処理を終了する。
【００９４】
一方、ステップＳ３１０にて、設定処理部２６３は、通信処理部２６２により携帯端末４０から温度設定指令が受信されたか否かを判定する。設定処理部２６３は、温度設定指令が受信された場合、ステップＳ３１２に進み、温度設定指令が受信されていない場合、現在の目標温度の設定を維持する形で、今回の処理を終了する。
【００９５】
ステップＳ３１２にて、設定処理部２６３は、吐出口２３から吐出される温水の目標温度を設定温度Ｔｓ４に設定し、今回の処理を終了する。
【００９６】
一方、前回、吐出口２３から温水が吐出されていなかった場合（ステップＳ３０１のＮｏ）、ステップＳ３１４にて、設定処理部２６３は、第２選択操作部２７Ｅに対する操作（プリセット選択操作）或いは通信処理部２６２による携帯端末４０からのプリセット選択指令の受信があったか否かを判定する。設定処理部２６３は、プリセット選択操作或いはプリセット選択指令の受信があった場合、ステップＳ３１６に進み、何れもなかった場合、ステップＳ３１８に進む。
【００９７】
ステップＳ３１６にて、設定処理部２６３は、吐出口２３から吐出される温水の目標温度を設定温度Ｔｓ３に設定し、今回の処理を終了する。
【００９８】
一方、ステップＳ３１８にて、設定処理部２６３は、第１選択操作部２７Ｄに対する操作（温水吐出モード選択操作）或いは通信処理部２６２による温水吐出モード選択指令の受信があったか否かを判定する。設定処理部２６３は、温水吐出モード選択操作或いは温水吐出モード選択指令の受信があった場合、ステップＳ３２０に進み、何れもなかった場合、現在の目標温度の設定を維持する形で、今回の処理を終了する。
【００９９】
ステップＳ３２０にて、設定処理部２６３は、選択された温水吐出モードで規定されるパターンに沿って、目標温度を調整する。
【０１００】
ステップＳ３２２にて、設定処理部２６３は、選択された温水吐出モードの実行期間が終了したか否かを判定する。設定処理部２６３は、温水吐出モードの実行期間が終了していない場合、ステップＳ３２０に戻って、ステップＳ３２０、Ｓ３２２の処理を繰り返し、温水吐出モードの実行期間が終了した場合、今回の処理を終了する。
【０１０１】
尚、選択された温水吐出モードがユーザによる所定の終了操作で終了する態様の場合、ステップＳ３２２の処理は、所定の終了操作が行われたか否かを判定する処理に置換される。
【０１０２】
続いて、図８は、設定処理部２６３による温水の目標流量を設定する処理（目標流量設定処理）の一例を概略的に示すフローチャートである。本フローチャートによる処理は、例えば、水栓装置２０の稼働中、即ち、水栓装置２０に電力が供給されている状態で、所定時間間隔で、繰り返し実行される。
【０１０３】
尚、解除操作部２７Ｆは、ＯＮ操作されておらず、一次エネルギ低減機能（一次エネルギ低減補助機能）は解除されていない前提とする。また、目標流量の初期値、即ち、水栓装置２０の製造時、或いは、水栓装置２０（マイコン２６）を初期化するとき等の目標流量は、設定流量Ｑｓ１に設定される。
【０１０４】
ステップＳ４０１にて、設定処理部２６３は、前回（の本フローチャートによる処理のとき）まで吐出口２３から温水が吐水されていたか否かを判定する。設定処理部２６３は、前回まで吐出口２３から温水が吐出されていた場合、ステップＳ４０２に進み、前回、吐出口２３から温水が吐出されていなかった場合、ステップＳ４１０に進む。
【０１０５】
ステップＳ４０２にて、設定処理部２６３は、吐出口２３から吐出される温水の止水条件が成立したか、即ち、出止水操作部２７Ａに対する止水操作が行われるか、上述の如く、プリセット値に基づく吐水開始後、積算流量が設定積算流量ＩＱｓに到達するかの何れか一方の条件が成立したか否かを判定する。設定処理部２６３は、止水条件が成立した場合、ステップＳ４０４に進み、止水条件が成立していない場合、ステップＳ４０６に進む。
【０１０６】
ステップＳ４０４にて、設定処理部２６３は、吐出口２３から吐出される温水の目標流量を設定流量Ｑｓ１に設定し、今回の処理を終了する。
【０１０７】
一方、ステップＳ４０６にて、設定処理部２６３は、流量操作部２７Ｃに対する操作（流量設定操作）が行われたか否かを判定する。設定処理部２６３は、流量設定操作が行われた場合、ステップＳ４０８に進み、流量設定操作が行われていない場合、ステップＳ４１０に進む。
【０１０８】
ステップＳ４０８にて、設定処理部２６３は、吐出口２３から吐出される温水の目標流量を設定流量Ｑｓ２に設定し、今回の処理を終了する。
【０１０９】
一方、ステップＳ４１０にて、設定処理部２６３は、通信処理部２６２により携帯端末４０から流量設定指令が受信されたか否かを判定する。設定処理部２６３は、流量設定指令が受信された場合、ステップＳ４１２に進み、流量設定指令が受信されていない場合、現在の目標流量の設定を維持する形で、今回の処理を終了する。
【０１１０】
ステップＳ４１２にて、設定処理部２６３は、吐出口２３から吐出される温水の目標流量を設定流量Ｑｓ４に設定し、今回の処理を終了する。
【０１１１】
一方、前回、吐出口２３から温水が吐出されていなかった場合（ステップＳ４０１のＮｏ）、ステップＳ４１４にて、設定処理部２６３は、第２選択操作部２７Ｅに対する操作（プリセット選択操作）或いは通信処理部２６２による携帯端末４０からのプリセット選択指令の受信があったか否かを判定する。設定処理部２６３は、プリセット選択操作或いはプリセット選択指令の受信があった場合、ステップＳ４１６に進み、何れもなかった場合、ステップＳ４１８に進む。
【０１１２】
ステップＳ４１６にて、設定処理部２６３は、吐出口２３から吐出される温水の目標流量を設定流量Ｑｓ３に設定し、今回の処理を終了する。
【０１１３】
一方、ステップＳ４１８にて、設定処理部２６３は、第１選択操作部２７Ｄに対する操作（温水吐出モード選択操作）或いは通信処理部２６２による温水吐出モード選択指令の受信があったか否かを判定する。設定処理部２６３は、温水吐出モード選択操作或いは温水吐出モード選択指令の受信があった場合、ステップＳ４２０に進み、何れもなかった場合、現在の目標流量の設定を維持する形で、今回の処理を終了する。
【０１１４】
ステップＳ４２０にて、設定処理部２６３は、選択された温水吐出モードで規定されるパターンに沿って、目標流量を調整する。
【０１１５】
ステップＳ４２２にて、設定処理部２６３は、選択された温水吐出モードの実行期間が終了したか否かを判定する。設定処理部２６３は、温水吐出モードの実行期間が終了していない場合、ステップＳ４２０に戻って、ステップＳ４２０、Ｓ４２２の処理を繰り返し、温水吐出モードの実行期間が終了した場合、今回の処理を終了する。
【０１１６】
尚、選択された温水吐出モードがユーザによる所定の終了操作で終了する態様の場合、ステップＳ４２２の処理は、所定の終了操作が行われたか否かを判定する処理に置換される。
【０１１７】
このように、本実施形態では、設定処理部２６３は、基本的に、目標温度及び目標流量を設定温度Ｔｓ１及び設定流量Ｑｓ１に設定する。これにより、上述の如く、一次エネルギの消費量を抑制することができる。また、本実施形態では、設定処理部２６３は、ユーザによる操作部２７や携帯端末４０に対する所定の操作に応じて、目標温度及び目標流量を変更する。これにより、一次エネルギの消費量を抑制しつつ、ユーザの快適性及び利便性を確保することができる。また、本実施形態では、設定処理部２６３は、吐出口２３から吐出される温水が止水された場合、次回、吐出口２３から温水の吐出が開始されるまでの間で、前回の止水前の目標温度及び目標流量の設定状態に依らず、目標温度及び目標流量を設定温度Ｔｓ１及び設定流量Ｑｓ１に設定する。これにより、水栓装置２０の使用中に、目標温度及び目標流量の少なくとも一方が設定温度Ｔｓ１及び設定流量Ｑｓ１から変更された場合であっても、次回使用時には、設定温度Ｔｓ１及び設定流量Ｑｓ１に戻るため、一次エネルギの消費量を更に抑制できる。
【０１１８】
尚、図７、図８に示す例では、設定処理部２６３は、吐出口２３から吐出される温水が止水された場合、無条件に、次回、吐出口２３から温水の吐出が開始されるまでの間で、目標温度及び目標流量を設定温度Ｔｓ１及び設定流量Ｑｓ１に戻すが、他の例として、止水された場合で、直ぐに、出水操作が行われないと判断可能な場合に限定して、目標温度及び目標流量を設定温度Ｔｓ１及び設定流量Ｑｓ１に戻してもよい。以下、図９、図１０を参照して、当該他の例に対応する設定処理部２６３による温水の目標温度及び目標流量を設定する処理フローについて説明する。
【０１１９】
まず、図９は、設定処理部２６３による目標温度設定処理の他の例を概略的に示すフローチャートである。本フローチャートによる処理は、図７の場合と同様、例えば、水栓装置２０の稼働中、即ち、水栓装置２０に電力が供給されている状態で、所定時間間隔で、繰り返し実行される。
【０１２０】
尚、解除操作部２７Ｆは、ＯＮ操作されておらず、一次エネルギ低減機能（一次エネルギ低減補助機能）は解除されていない前提とする。また、目標温度の初期値、即ち、水栓装置２０の製造時、或いは、水栓装置２０（マイコン２６）を初期化するとき等の目標温度は、図７の場合と同様、設定温度Ｔｓ１に設定される。
【０１２１】
ステップＳ５０１にて、設定処理部２６３は、前回（の本フローチャートによる処理のとき）まで吐出口２３から温水が吐水されていたか否かを判定する。設定処理部２６３は、前回まで吐出口２３から温水が吐出されていた場合、ステップＳ５０２に進み、前回、吐出口２３から温水が吐出されていなかった場合、ステップＳ５１６に進む。
【０１２２】
ステップＳ５０２にて、設定処理部２６３は、吐出口２３から吐出される温水の止水条件が成立したか、即ち、出止水操作部２７Ａに対する止水操作が行われるか、上述の如く、プリセット値に基づく吐水開始後、積算流量が設定積算流量ＩＱｓに到達するかの何れか一方の条件が成立したか否かを判定する。設定処理部２６３は、止水条件が成立した場合、ステップＳ５０４に進み、止水条件が成立していない場合、ステップＳ５１２に進む。
【０１２３】
ステップＳ５０４にて、設定処理部２６３は、所定時間のタイマを設定する。当該所定時間は、出水操作が直ぐには行われない（即ち、水栓装置２０が直ぐに使用されない）と判断可能な時間として適宜設定されてよく、例えば、１分、５分等であってよい。
【０１２４】
ステップＳ５０６にて、設定処理部２６３は、出水操作が行われたか否かを判定する。当該出水操作は、出止水操作部２７Ａに対する出水操作のみならず、第１選択操作部２７Ｄ、第２選択操作部２７Ｅに対する操作を含む。設定処理部２６３は、出水操作が行われていない場合、ステップＳ５０８に進み、出水操作が行われた場合、ステップＳ５１６に進む。
【０１２５】
ステップＳ５０８にて、設定処理部２６３は、タイマが終了したか否かを判定する。設定処理部２６３は、タイマが終了した場合、ステップＳ５１０に進み、タイマが終了していない場合、ステップＳ５０６に戻る。
【０１２６】
ステップＳ５１０にて、設定処理部２６３は、吐出口２３から吐出される温水の目標温度を設定温度Ｔｓ１に設定し、今回の処理を終了する。
【０１２７】
一方、ステップＳ５１２にて、設定処理部２６３は、温度操作部２７Ｂに対する操作（温度設定操作）が行われたか否かを判定する。設定処理部２６３は、温度設定操作が行われた場合、ステップＳ５１４に進み、温度設定操作が行われていない場合、ステップＳ５１６に進む。
【０１２８】
ステップＳ５１４にて、設定処理部２６３は、吐出口２３から吐出される温水の目標温度を設定温度Ｔｓ２に設定し、今回の処理を終了する。
【０１２９】
一方、ステップＳ５１６にて、設定処理部２６３は、通信処理部２６２により携帯端末４０から温度設定指令が受信されたか否かを判定する。設定処理部２６３は、温度設定指令が受信された場合、ステップＳ５１８に進み、温度設定指令が受信されていない場合、現在の目標温度の設定を維持する形で、今回の処理を終了する。
【０１３０】
ステップＳ５１８にて、設定処理部２６３は、吐出口２３から吐出される温水の目標温度を設定温度Ｔｓ４に設定し、今回の処理を終了する。
【０１３１】
一方、前回、吐出口２３から温水が吐出されていなかった場合（ステップＳ５０１のＮｏ）、或いは止水操作後のタイマ終了前に出水操作が行われた場合（ステップＳ５０６のＹｅｓ）、ステップＳ５２０にて、設定処理部２６３は、第２選択操作部２７Ｅに対する操作（プリセット選択操作）或いは通信処理部２６２による携帯端末４０からのプリセット選択指令の受信があったか否かを判定する。設定処理部２６３は、プリセット選択操作或いはプリセット選択指令の受信があった場合、ステップＳ５２２に進み、何れもなかった場合、ステップＳ５２４に進む。
【０１３２】
ステップＳ５２２にて、設定処理部２６３は、吐出口２３から吐出される温水の目標温度を設定温度Ｔｓ３に設定し、今回の処理を終了する。
【０１３３】
一方、ステップＳ５２４にて、設定処理部２６３は、第１選択操作部２７Ｄに対する操作（温水吐出モード選択操作）或いは通信処理部２６２による温水吐出モード選択指令の受信があったか否かを判定する。設定処理部２６３は、温水吐出モード選択操作或いは温水吐出モード選択指令の受信があった場合、ステップＳ５２６に進み、何れもなかった場合、現在の目標温度の設定を維持する形で、今回の処理を終了する。
【０１３４】
ステップＳ５２６にて、設定処理部２６３は、選択された温水吐出モードで規定されるパターンに沿って、目標温度を調整する。
【０１３５】
ステップＳ５２８にて、設定処理部２６３は、選択された温水吐出モードの実行期間が終了したか否かを判定する。設定処理部２６３は、温水吐出モードの実行期間が終了していない場合、ステップＳ５２０に戻って、ステップＳ５２６、Ｓ５２８の処理を繰り返し、温水吐出モードの実行期間が終了した場合、今回の処理を終了する。
【０１３６】
尚、選択された温水吐出モードがユーザによる所定の終了操作で終了する態様の場合、ステップＳ５２８の処理は、所定の終了操作が行われたか否かを判定する処理に置換される。
【０１３７】
続いて、図１０は、設定処理部２６３による目標流量設定処理の他の例を概略的に示すフローチャートである。本フローチャートによる処理は、図１０の場合と同様、例えば、水栓装置２０の稼働中、即ち、水栓装置２０に電力が供給されている状態で、所定時間間隔で、繰り返し実行される。
【０１３８】
尚、解除操作部２７Ｆは、ＯＮ操作されておらず、一次エネルギ低減機能（一次エネルギ低減補助機能）は解除されていない前提とする。また、目標流量の初期値、即ち、水栓装置２０の製造時、或いは、水栓装置２０（マイコン２６）を初期化するとき等の目標流量は、図９の場合と同様、設定流量Ｑｓ１に設定される。
【０１３９】
ステップＳ６０１にて、設定処理部２６３は、前回（の本フローチャートによる処理のとき）まで吐出口２３から温水が吐水されていたか否かを判定する。設定処理部２６３は、前回まで吐出口２３から温水が吐出されていた場合、ステップＳ６０２に進み、前回、吐出口２３から温水が吐出されていなかった場合、ステップＳ６１６に進む。
【０１４０】
ステップＳ６０２にて、設定処理部２６３は、吐出口２３から吐出される温水の止水条件が成立したか、即ち、出止水操作部２７Ａに対する止水操作が行われるか、上述の如く、プリセット値に基づく吐水開始後、積算流量が設定積算流量ＩＱｓに到達するかの何れか一方の条件が成立したか否かを判定する。設定処理部２６３は、止水条件が成立した場合、ステップＳ６０４に進み、止水条件が成立していない場合、ステップＳ６１２に進む。
【０１４１】
ステップＳ６０４にて、設定処理部２６３は、図９のステップＳ５０４と同様、所定時間のタイマを設定する。
【０１４２】
ステップＳ６０６にて、設定処理部２６３は、出水操作が行われたか否かを判定する。当該出水操作は、図９のステップＳ５０６の場合と同様、出止水操作部２７Ａに対する出水操作のみならず、第１選択操作部２７Ｄ、第２選択操作部２７Ｅに対する操作を含む。設定処理部２６３は、出水操作が行われていない場合、ステップＳ６０８に進み、出水操作が行われた場合、ステップＳ６１６に進む。
【０１４３】
ステップＳ６０８にて、設定処理部２６３は、タイマが終了したか否かを判定する。設定処理部２６３は、タイマが終了した場合、ステップＳ６１０に進み、タイマが終了していない場合、ステップＳ６０６に戻る。
【０１４４】
ステップＳ６１０にて、設定処理部２６３は、吐出口２３から吐出される温水の目標流量を設定流量Ｑｓ１に設定し、今回の処理を終了する。
【０１４５】
一方、ステップＳ６１２にて、設定処理部２６３は、流量操作部２７Ｃに対する操作（流量設定操作）が行われたか否かを判定する。設定処理部２６３は、流量設定操作が行われた場合、ステップＳ６１４に進み、流量設定操作が行われていない場合、ステップＳ６１６に進む。
【０１４６】
ステップＳ６１４にて、設定処理部２６３は、吐出口２３から吐出される温水の目標流量を設定流量Ｑｓ２に設定し、今回の処理を終了する。
【０１４７】
一方、ステップＳ６１６にて、設定処理部２６３は、通信処理部２６２により携帯端末４０から流量設定指令が受信されたか否かを判定する。設定処理部２６３は、流量設定指令が受信された場合、ステップＳ６１８に進み、流量設定指令が受信されていない場合、現在の目標流量の設定を維持する形で、今回の処理を終了する。
【０１４８】
ステップＳ６１８にて、設定処理部２６３は、吐出口２３から吐出される温水の目標流量を設定流量Ｑｓ４に設定し、今回の処理を終了する。
【０１４９】
一方、前回、吐出口２３から温水が吐出されていなかった場合（ステップＳ５０１のＮｏ）、或いは止水操作後のタイマ終了前に出水操作が行われた場合（ステップＳ５０６のＹｅｓ）、ステップＳ６２０にて、設定処理部２６３は、第２選択操作部２７Ｅに対する操作（プリセット選択操作）或いは通信処理部２６２による携帯端末４０からのプリセット選択指令の受信があったか否かを判定する。設定処理部２６３は、プリセット選択操作或いはプリセット選択指令の受信があった場合、ステップＳ６２２に進み、何れもなかった場合、ステップＳ６２４に進む。
【０１５０】
ステップＳ６２２にて、設定処理部２６３は、吐出口２３から吐出される温水の目標流量を設定流量Ｑｓ３に設定し、今回の処理を終了する。
【０１５１】
一方、ステップＳ６２４にて、設定処理部２６３は、第１選択操作部２７Ｄに対する操作（温水吐出モード選択操作）或いは通信処理部２６２による温水吐出モード選択指令の受信があったか否かを判定する。設定処理部２６３は、温水吐出モード選択操作或いは温水吐出モード選択指令の受信があった場合、ステップＳ６２６に進み、何れもなかった場合、現在の目標流量の設定を維持する形で、今回の処理を終了する。
【０１５２】
ステップＳ６２６にて、設定処理部２６３は、選択された温水吐出モードで規定されるパターンに沿って、目標流量を調整する。
【０１５３】
ステップＳ６２８にて、設定処理部２６３は、選択された温水吐出モードの実行期間が終了したか否かを判定する。設定処理部２６３は、温水吐出モードの実行期間が終了していない場合、ステップＳ６２６に戻って、ステップＳ６２６、Ｓ６２８の処理を繰り返し、温水吐出モードの実行期間が終了した場合、今回の処理を終了する。
【０１５４】
尚、選択された温水吐出モードがユーザによる所定の終了操作で終了する態様の場合、ステップＳ６２８の処理は、所定の終了操作が行われたか否かを判定する処理に置換される。
【０１５５】
このように、本例では、設定処理部２６３は、吐出口２３から吐出される温水が止水され、その後、温水が止水された状態が所定時間Ｔ以上経過した場合、止水される前の目標温度及び目標流量の設定状態に関わらず、目標温度及び目標流量を設定温度Ｔｓ１及び設定流量Ｑｓ１に設定する。これにより、止水操作と出水操作を短時間で繰り返されるような場面では、前回の出水時の目標温度及び目標流量の設定状態が維持されるため、ユーザの利便性を向上させることができる。また、止水操作後、適宜設定される所定時間以上経過すれば、直ぐに水栓装置２０が使用されないと判断可能であるため、目標温度及び目標流量を設定温度Ｔｓ１及び設定流量Ｑｓ１し、一次エネルギの消費量を抑制することができる。
【０１５６】
次に、図１１〜図１４を参照して、本実施形態に係る水栓装置２０を含む温水吐出システム１の作用について更に説明をする。
【０１５７】
図１１〜図１４は、本実施形態に係る水栓装置２０（温水吐出システム１）の具体的な作用、即ち、一次エネルギ消費量の低減量を説明する図である。具体的には、図１１、図１２は、一次エネルギ消費量の算出条件（Ｍ１スタンダードモード）を示す図であり、それぞれ、一日の温水使用態様を示す複数の温水使用パターンと、各々の温水使用パターンの１か月（３１日間）における発生頻度を示す。図１３は、本実施形態に係る水栓装置２０を洗面所、浴室（シャワー）及びキッチンの何れか１つ（条件１〜条件３）、或いは全て（条件４）に適用する場合における設定温度Ｔｓ１の具体的な値（図中の網掛け部）を示す図である。図１４は、Ｍ１スタンダードで規定される温水の温度設定値（４０℃）及び温水使用パターンで１か月温水を利用した場合に対する、本実施形態に係る水栓装置２０を洗面所、浴室（シャワー）及びキッチンの何れか１つ（条件１〜条件３）、或いは全て（条件４）に適用し、Ｍ１スタンダードの温水使用パターンで１か月温水を利用した場合における一次エネルギ消費量の低減量を示す図である。
【０１５８】
尚、Ｍ１スタンダードモードは、「平成２５年省エネルギー基準に準拠した算定・判断の方法及び解説」（平成２５年経済産業省・国土交通所告示第１号「エネルギーの使用の合理化に関する建築主等及び特定建築物の所有者の判断基準」の算定方法等を記した解説本）にて設定された給湯の試験モードである。また、図１４で示す一次エネルギ消費量の低減量は、ユーザによる温度操作部２７Ｂ、流量操作部２７Ｃ等の操作に基づく目標温度及び目標流量の設定が行われないことを前提にする。
【０１５９】
図１３に示すように、Ｍ１スタンダードの温度設定値である４０℃に対して、浴室用の水栓装置２０の設定温度Ｔｓ１は、３９℃に設定され、キッチン用及び洗面所用の水栓装置２０の設定温度Ｔｓ１は、３２℃に設定される。
【０１６０】
かかる設定温度Ｔｓ１の条件の下、図１４に示すように、洗面所、浴室（シャワー）及びキッチンの何れか１つに適用した場合（条件１〜条件３）、一次エネルギ消費量が、それぞれ、０．４ＧＪ、０．５ＧＪ、１．４ＧＪ低減される。また、浴室（シャワー）、キッチン、及び洗面所の全てに水栓装置２０を適用した場合（条件４）、一次エネルギ消費量が２．３ＧＪ低減される。
【０１６１】
ここで、Ｍ１スタンダードで規定される温水の温度（４０℃）及び温水使用パターンで１か月温水を利用した場合の一次エネルギ消費量は、２５．１ＧＪと算出される。従って、本実施形態に係る水栓装置２０を洗面所、浴室（シャワー）及びキッチンの全てに適用した場合、９．２％の一次エネルギ消費量の低減効果を得ることが可能となる。また、洗面所、浴室（シャワー）、及びキッチンの何れか１つだけに本実施形態に係る水栓装置２０を適用した場合であっても、それぞれ、１．６％、２．０％、及び５．６％の一次エネルギ消費量の低減効果を得ることができる。
【０１６２】
以上、本発明を実施するための形態について詳述したが、本発明はかかる特定の実施形態に限定されるものではなく、特許請求の範囲に記載された本発明の要旨の範囲内において、種々の変形・変更が可能である。
【０１６３】
例えば、上述の実施形態では、一次エネルギ低減機能（一次エネルギ低減補助機能）として、温水の吐出開始時に、目標温度及び目標流量の各々が、一次エネルギ消費量の低減を重視するデフォルト値（設定温度Ｔｓ１及び設定流量Ｑｓ１）に設定されるが、何れか一方だけが一次エネルギ消費量の低減を重視するデフォルト値に設定され、他方は、ユーザにより設定される値（要求値）であってもよい。
【０１６４】
また、目標温度及び目標流量うちの目標温度のみが、温水の吐出開始時に、一次エネルギ消費量の低減を重視する設定温度Ｔｓ１に設定される場合、設定温度Ｔｓ１は、目標流量の設定状態に応じて、可変とされてもよい。例えば、設定温度Ｔｓ１は、設定されている目標流量が大きくなるほど、大きくなる態様であってよい。目標流量が比較的大きい場合、水栓装置２０が設定されている場所が、キッチンや浴室（シャワー）等である可能性が高いと考えられるからである。
【０１６５】
また、上述の実施形態では、設定処理部２６３による目標温度及び目標流量の設定により、一次エネルギ低減機能が実現されるが、給湯器１０の出力を制限することにより、一次エネルギ低減機能が実現されてもよい。具体的には、制御部２６４は、吐出口２３から温水の吐出が開始される場合に、給湯器１０に対して、所定の出力以下（例えば、実用上の最低出力を示す最低着火号数）での運転を指示する制御信号を送信すると共に、給湯器１０から供給される湯が吐出口２３からそのまま吐出されるように混合弁２１を制御し、設定されている目標流量に基づき、流量調整弁２２を制御してよい。これにより、止水前の目標温度及び目標流量の設定状態に依らず、給湯器１０の出力を制限することができるため、一次エネルギの消費量（具体的には、吐出口２３からの温水の吐出による単位時間当たりの一次エネルギの消費量）を予め規定される基準（給湯器１０の制限される出力で規定される基準）に維持させることができる。
【符号の説明】
【０１６６】
１  温水吐出システム
２  給水管
２ａ  給水枝管
２ｂ  給水枝管
１０  給湯器
２０  水栓装置
２０ａ  本体部
２０ｂ  中間部
２０ｃ  パイプ部
２０ｄ  表示部
２１  混合弁（混合部）
２２  流量調整弁（流量調整部）
２３  吐出口（吐出部）
２４  温度センサ
２５  流量センサ
２６  マイコン
２７  操作部
２７Ａ  出止水操作部
２７Ｂ  温度操作部
２７Ｃ  流量操作部
２７Ｄ  第１選択操作部
２７Ｅ  第２選択操作部
２７Ｆ  解除操作部
２８  通信機器
３０  外部装置
３１  通信機器
３２  処理装置
４０  携帯端末
２６２  通信処理部（第１送信部、第２受信部、第４受信部、第５受信部）
２６３  設定処理部（設定部）
２６４  制御部
２６５  使用情報蓄積処理部
２６６  情報生成部（規定部、ユーザ特定部）
２６９  記憶部
３２１  通信処理部（第１受信部、第２送信部、第３送信部）
３２２  保存処理部
３２３  履歴情報読み出し処理部
３２９  記憶部
４０１  通信処理部（第３受信部、第４送信部、第５送信部）
４０２  表示処理部
４０３  設定指令処理部
３２９１  使用履歴ＤＢ
【図１】
2018119706.tif 000003
【図２】
2018119706.tif 000004
【図３】
2018119706.tif 000005
【図４】
2018119706.tif 000006
【図５】
2018119706.tif 000007
【図６】
2018119706.tif 000008
【図７】
2018119706.tif 000009
【図８】
2018119706.tif 000010
【図９】
2018119706.tif 000011
【図１０】
2018119706.tif 000012
【図１１】
2018119706.tif 000013
【図１２】
2018119706.tif 000014
【図１３】
2018119706.tif 000015
【図１４】
2018119706.tif 000016